(57)【要約】      （修正有）【課題】正しい姿勢を維持可能な骨盤均衡座布団の中材および外皮構造を提供する。【解決手段】中材１は，尻が着座する座り盤９の周り後方に位して尻を支持する尻支持面５ａ、５ｂを有する部材と，左右側面の太もも外部支持面４ａ、４ｂ、４ｃ、４ｄを有する部材と太もも内側支持用中材３を有する部材とから成り，外皮構造は，中材が入れば中材模様の屈曲が出るように作られた素材区分裁縫線を備えている。【選択図】図１
0003120320.tif 000002
【実用新案登録請求の範囲】
【請求項１】
尻が着座する座り盤（９）の周り後方に位して尻を支持する尻支持面（５ａ）（５ｂ）を有する部材と，左右側面の太もも外部支持面（４ａ）（４ｂ）（４ｃ）（４ｄ）を有する部材と太もも内側支持面（６）を有する部材とから成ることを特徴とする，座布団の中材。
【請求項２】
尻が着座する座り盤（９）の周り後方に位して尻を支持する尻支持面（５ａ）（５ｂ）と，左右側面の太もも外部支持面（４ａ）（４ｂ）（４ｃ）（４ｄ）と，太もも内部支持面（６）を区分できる骨盤形態に沿って描かれ，中材が入れば中材模様の屈曲が出るように作られた素材区分裁縫線（８ａ）（８ｂ）（８ｃ）（８ｄ）（８ｅ）（８ｆ）がある座布団の外皮構造。
【考案の詳細な説明】
【技術分野】
【０００１】
本考案は，正しい姿勢維持骨盤均衡座布団に関するもので，座布団の縁に溝と穴を通じて，屈曲の壁を形成して，尻が不必要に動くことを防止し，骨盤を寄せて固定してくれることにより，骨盤と左右骨に無理を与えず，長時間座っていても楽さと快適さを与える，正しい姿勢維持骨盤均衡座布団に関するものである。
【背景技術】
【０００２】
座布団は家庭，事務室，学校，自動車など，人が生活と作業をする所であれば，どこでも使われているものである。特に長時間椅子で生活する学生や，コンピューターの前で長い間の時間を過ごす会社員や，長時間運転するドライバーは，通常は，スポンジと少しのクッションがある座布団で生活しているが，着席の時よく使われる骨盤が逆三角構造である関係で，いつも不安定な状態で，姿勢の小さな動きと歪み（曲がり）が発生するので，長時間着席の時には，腰痛と体の曲がりが発生して，学業と業務の効率が落ちるという問題点があった。
【考案の開示】
【考案が解決しようとする課題】
【０００３】
このような問題点を解決するために，骨盤の形状を利用して屈曲を作り，骨盤が屈曲に入り込むようになり，姿勢の曲がりを防止し，不必要な動きを最小化した座布団が提案されている。しかし，姿勢の曲がり防止のために，既存の製品は，ウレタンのような堅固な材質で出来ているので，日常生活での利用に不便があったし，骨盤の左右骨部位を集中的に圧迫することにより，使用の時非常に不便であったので，正しい姿勢維持は，学生，職業ドライバーなどのような使用者の場合，使用場所の制約性のため使用ができない限界があったのである。
【課題を解決するための手段】
【０００４】
本考案は，このような問題点を解決するためのものであり，第一の考案は，尻が着座する座り盤（９）の周り後方に位して尻を支持する尻支持面（５ａ）（５ｂ）を有する部材と，左右側面の太もも外部支持面（４ａ）（４ｂ）（４ｃ）（４ｄ）を有する部材と太もも内側支持面（６）を有する部材とから成ることを特徴とする，座布団の中材である。
【０００５】
また，第二の考案は，尻が着座する座り盤（９）の周り後方に位して尻を支持する尻支持面（５ａ）（５ｂ）と，左右側面の太もも外部支持面（４ａ）（４ｂ）（４ｃ）（４ｄ）と，太もも内部支持面（６）を区分できる骨盤形態に沿って描かれ，中材が入れば中材模様の屈曲が出るように作られた素材区分裁縫線（８ａ）（８ｂ）（８ｃ）（８ｄ）（８ｅ）（８ｆ）がある座布団の外皮構造である。
【考案の効果】
【０００６】
以上説明したように本考案によれば，日常生活での使用ができるように，座布団に人体工学的に骨盤と太ももの形状に沿って屈曲を与えることで，身体部分との接触面積を広げて荷重が分散するようにしたので，長時間着席しても骨盤と座骨への痛症を減らすようにしてあり，座布団の外皮を利用して骨盤の形で刺繍を入れ，設計された中材を挿入することで，生地の伸縮性を利用して骨盤を寄せることによって，楽に使用できるし，大きさによって座布団の外皮の寸法を異にすることによって，それぞれ骨盤の大きさが違う人が使用する時の座り心地を快適にすることが可能である。
【考案を実施するための最良の形態】
【０００７】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【０００８】
図１に示すように，本考案の正しい姿勢維持骨盤均衡座布団の中材（１）は，骨盤形状を基準で作られた形で，座り盤（９）の周りで左右側面に位して，太もも外側を支持する太もも外部支持面（４ａ）（４ｂ）（４ｃ）（４ｄ）と，後方に位して尻を支持する尻支持面（５ａ）（５ｂ）で構成されている。また，太もも内部を支持するための中材３が，座り盤（９）の前方に設けられる。また，図２に示すように，中材の構造物の形態が刺繍や返し縫いで，一定した溝と屈曲の形を，自体的堅固性と素材区分裁縫線の（８ａ）（８ｂ）（８ｃ）（８ｄ）（８ｅ）（８ｆ）がある座布団の皮によって，外側に押されないように，決まった曲面形態を成すようになっている。
【０００９】
本考案の中材部材としては，綿，スポンジ，織物，合成樹脂，炭，セラミックス，黄土，ポリウレタンなど多様な材料を満たすとか成型して使うことができる。
【００１０】
本考案の作用を説明すれば次のようである。
【００１１】
本考案の正しい姿勢維持骨盤均衡座布団（２）に人が着席すれば，使用者の体重によって尻が座り盤（９）に挿入されて密着されるようになり，尻の支持面（５ａ）（５ｂ）に尻の後ろ部分がかかって，太ももの屈曲に沿って付いて形成された太もも外部支持面（４ａ）（４ｂ）（４ｂ）（４ｃ），太もも内部支持面（６）に，使用者の太ももが密着されて身体の接触面積が増加して荷重が分散するようになる。
【００１２】
尚，凸の太もも内部支持面（６）により，使用者の前に滑るのを防止するようにしてある。
【００１３】
また，外側の屈曲に尻が閉じこめられる形状になるので，不必要な動きを無くし，普段触れていた左右骨を浮かべてくれ，骨盤と繋がれた骨格に無理を与えず楽な姿勢を誘導する。
【００１４】
以上で述べた通り，本考案は座布団の外部に骨盤形態に沿って屈曲を作ってくれることで，一般的な座布団の問題点である骨盤の左右骨に集中する荷重を，屈曲を通じて，均一に分散させ，長時間着席の時に生ずる痛症と疲れを解消し，高級機能性製品にだけ具現されていた，骨盤を寄せて骨盤均衡を取ってくれる機能を，一般座布団にも適用して，日常生活の中で楽に正しい姿勢を維持させるし，長時間の利用時に骨盤均衡が取れる機能を適用して改善した。
【００１５】
以上，添付図面を参照しながら本考案の好適な実施形態について説明したが，本考案はかかる例に限定されないことは言うまでもない。当業者であれば，特許請求の範囲に記載された範疇内において，各種の変更例または修正例に想到し得ることは明らかであり，それらについても当然に本考案の技術的範囲に属するものと了解される。
【産業上の利用可能性】
【００１６】
本考案は，座布団に適用可能である。
【図面の簡単な説明】
【００１７】
【図１】本考案の実施形態にかかる座布団の中材の概略構成を示す見取り図である。
【図２】本考案の実施形態にかかる素材区分裁縫線が形成された座布団の外皮の概略構成を示す見取り図である。
【符号の説明】
【００１８】
１      中材
２      外皮
３      太もも内側支持用中材
４ａ，４ｂ，４ｂ，４ｃ      太もも外部支持面
５ａ，５ｂ      尻の支持面
６      太もも内部支持面
８ａ，８ｂ，８ｃ，８ｄ，８ｅ，８ｆ      素材区分裁縫線
９      座り盤
【図１】
0003120320.tif 000003
【図２】
0003120320.tif 000004